【手続補正書】
【提出日】平成17年10月5日(2005.10.5)
【手続補正１】
【補正対象書類名】明細書
【補正対象項目名】特許請求の範囲
【補正方法】変更
【補正の内容】
【特許請求の範囲】
【請求項１】  式1の化合物または、治療に用いることができるそれらの酸付加塩。
【化１】
2001519330.tif 000001
（式中、R1は水素、メチル、エチル、メトキシまたはメチルチオであり；
R2及びR3はそれぞれ独立して水素またはC1-3アルキルであり；
R4は水素、低級アルキル、メトキシ、エトキシまたはベンジルオキシであり；  R5は低級アルキル、低級シクロアルキル、(CH2)mC(O)OR6（mは1または2の整数で、R6を低級アルキルまたはフェニル（低級アルキル））；フェニル、低級アルキル、低級アルコキシ、低級アルキルチオ、ハロ、ヒドロキシ及びアミノから成る群から独立して選択される置換基で一置換、二置換または三置換されたフェニル；フェニル（低級アルキル）、フェニル部分が低級アルキル、低級アルコキシ、低級アルキルチオ、ハロ、ヒドロキシ、ニトロ、アミノ、低級アルキルアミノ、ジ（低級アルキル）アミノ、低級アシルアミノ、ジ（低級アルキル）アミノカルボニル、シアノ、トリフルオロメチル、（トリフルオロメチル）チオ、（トリフルオロメチル）スルフィニル、（トリフルオロメチル）スルホニル及びC(O)OR7（R7は低級アルキルまたはフェニル（低級アルキル））から成る群から独立して選択される置換基で一置換または二置換されたフェニル（低級アルキル）；
HetまたはHet（低級アルキル）、ここで、Het はN、OまたはSから成る群から選択される1個または2個のヘテロ原子を有する無置換、一置換または二置換された5員環または6員環の一価の複素環式環を示し、各置換基が低級アルキル、低級アルコキシ、ハロ及びヒドロキシから成る群から独立して選択される；5-(ベンゾ[1,3]ジオキソリル)メチル、 (1(R)-1-ナフタレニル)エチル、 2-ベンゾチアゾリルまたは2-チアゾロ[4,5-b]ピリジニルであり；または
R4及びR5はそれらが結合するチッソ原子とともに、ピペリジノ、モルフォリノ、チオモルフォリノ、ピペラジノ、N-メチルピペラジノ、1-(3,4-ジヒドロ-1H-イソキノリニル)または2-(3,4-ジヒドロ-1H-イソキノリニル)、またはベンジルオキシカルボニルまたはフェニルにより任意に置換されていてもよいピロリジノ環を形成し、ここで該フェニルは、低級アルキル、低級アルコキシ、低級アルキルチオ、ハロ、ヒドロキシ、ニトロ、アミノ、低級アルキルアミノ、ジ（低級アルキル）アミノ、低級アシルアミノ、ジ（低級アルキル）アミノカルボニル、シアノ、トリフルオロメチル、（トリフルオロメチル）チオ、（トリフルオロメチル）スルフィニル、（トリフルオロメチル）スルホニル及びC(O)OR7（R7は低級アルキルまたは（低級アルキル）フェニル）から成る群から独立して選択される置換基で任意に一置換または二置換されていてもよい；
XはO、S、SO、SO2、NR8（R8はHまたは低級アルキル）から成る群から選択され；及び
YはC1-10の非環状または環状のアルキル；[(CH2)0-1]フェニル、該フェニル環は低級アルキルまたは低級アルコキシで任意に一置換または二置換されていてもよく、該フェニル環は芳香族環と任意に結合して二環を形成してもよく、該芳香族環は、N、O及びSから成る群から選択されるヘテロ原子を任意に含んでいてもよい；
N、O及びSから成る群から選択されるヘテロ原子を任意に1個以上有してもよいHetまたはHet（低級アルキル）、ここで該Hetは低級アルキルまたは低級アルコキシで任意に一置換または二置換されていてもよく；該複素環は、芳香族環と任意に融合して二環を形成してもよく、該芳香族環は、N、O及びSから成る群から選択されるヘテロ原子を任意に1個以上有してもよい；C(O)R9（R9は低級アルキルまたはフェニル（低級アルキル））；
または、XがR8を低級アルキルとするNR8で、Yが低級アルキルまたは低級アルコキシの場合は、X及びYは一緒になってモルフォリノまたはピペリジノを形成する。）
【請求項２】  式中
R1は水素またはC1-2アルキルであり；
R2及びR3はそれぞれ独立して水素、メチルまたはエチルであり；
R4は水素または低級アルキルであり；
R5は低級アルキル、低級アルコキシからなる群から独立して選ばれた置換基で置換されていてもよいフェニル；フェニル部分が低級アルキル、低級アルコキシ、ニトロ、ハロ、シアノ、トリフルオロメチル及びC(O)OR7（R7は低級アルキルまたはフェニル（低級アルキル））から成る群から独立して選択される置換基で任意に一または二置換されていてもよいフェニル（低級アルキル）；Het（低級アルキル）、ここで、HetはN、OまたはSから成る群から選択されるヘテロ原子を有する5員環または6員環の一価の複素環式環を表し、該環は、低級アルキルまたは低級アルコキシで任意に置換されていてもよい；
または、R4及びR5はそれらが結合するチッソ原子とともに、ベンジルオキシカルボニル、又はフェニルで置換されていてもよいピロリジノを形成し、該フェニルはハロ、ニトロ、アミノ、シアノ、トリフルオロメチルで任意に一置換または二置換されていてもよい；
XはO、S、NR8（R8はHまたは低級アルキル）から成る群から選択され；及び
YはC1-10の非環状または環状アルキル；フェニルカルボニル；低級アルキルまたは低級アルコキシで任意に一または二置換されていてもよいフェニルまたはベンジル、該フェニルは、芳香族環と任意に融合して二環式環を形成してもよく、該芳香族環は、N、O及びSから成る群から選択されるヘテロ原子を任意に有してもよい；及びN、O及びSから成る群から選択されるヘテロ原子を1個以上持つHetまたはCH2-Het、該Hetは、低級アルキルまたは低級アルコキシで任意に一または二置換されていてもよく；該複素環は芳香族環と任意に結合して二環式環を形成してもよく、該芳香族環はN、O及びSから成る群から選択されるヘテロ原子を任意に1個以上持っていてもよい；
または、XがR8を低級アルキルとするNR8で、Yが低級アルキルである場合は、X及びYが一緒になってピペリジノ環を形成する請求項1に記載の式1の化合物。
【請求項３】  式中
R1、R2及びR3はそれぞれ独立して水素、メチルまたはエチルであり；
R4は水素またはC1-3アルキルであり；
R5は低級アルキルまたは低級アルコキシから成る群から独立して選択される置換基で任意に置換されていてもよいフェニル；フェニル部分が低級アルキル、低級アルコキシ、ニトロ、ハロ、シアノ、トリフルオロメチル及びC(O)OR7（R7は低級アルキルまたはフェニル（低級アルキル））から成る群から独立して選択される置換基で任意に一または二置換されていてもよい（C1-2アルキル）フェニル；
XはO、S、NR8（R8はHまたは低級アルキル）から成る群から選択され；及び
Yは低級非環状または環状アルキル；低級アルキルまたは低級アルコキシで任意に一または二置換されていてもよいフェニル；または
N、O及びSから成る群から選択されるヘテロ原子を1個以上有するHet、該Hetは、低級アルキルで任意に一または二置換されていてもよく；該複素環は芳香族環と任意に結合して二環式環を形成してもよく、該芳香族環はN、O及びSから成る群から選択されるヘテロ原子を任意に1個以上持っていてもよい；
または、XがR8を低級アルキルとするNR8で、Yが低級アルキルである場合は、X及びYが一緒になってピペリジノ環を形成するものである請求項2に記載の式1の化合物。
【請求項４】  式中
R1、R2及びR3はそれぞれ独立して水素であり；
R4は水素またはメチルであり；
R5はフェニル部分がニトロまたはトリフルオロメチルで任意に一置換されていてもよいベンジル、または1 (R)-フェニルエチレンであり；
XはSであり；及び
Yは低級アルキルで任意に置換されていてもよいピリミジン；ピリジン；N-Me-テトラゾール；またはベンズオキサゾールである請求項3に記載の式1の化合物。
【請求項５】
【表１】
2001519330.tif 000002
【表２】
2001519330.tif 000003
【表３】
2001519330.tif 000004
から成る群から選択される請求項1に記載の式1の化合物。
【請求項６】  エントリー番号：102, 103, 104, 105, 106, 107, 108, 109, 111, 112, 113, 114, 115, 116, 117, 118, 119, 120, 121, 122, 123, 124, 125, 126, 127, 128, 129, 130, 131, 132, 133, 134, 138, 139, 140, 141, 143, 144 及び145から成る群から選択される請求項5に記載の化合物。
【請求項７】  エントリー番号：111, 112, 123, 125及び 133から成る群から選択される請求項6に記載の化合物。
【請求項８】
【表４】
2001519330.tif 000005
から成る群から選択される請求項1に記載の式1の化合物。
【請求項９】  エントリー番号：204, 206, 208, 209及び212から成る群から選択される請求項8に記載の化合物
【請求項１０】
【表５】
2001519330.tif 000006
から成る群から選択される請求項1に記載の式1の化合物。
【請求項１１】  エントリー番号：301, 302, 304, 307, 309, 310, 311, 312, 316, 319, 320及び322から成る群から選択される請求項10に記載の化合物。
【請求項１２】  エントー番号：309, 311, 320及び322から成る群から選択される請求項11に記載の化合物。
【請求項１３】
【表６】
2001519330.tif 000007
から成る群から選択される請求項1に記載の式1の化合物。
【請求項１４】  エントリー番号：407及び408から成る群から選択される請求項13に記載の化合物。
【請求項１５】  エントー番号407として選択される請求項14に記載の化合物。
【請求項１６】  請求項1に記載の式1の化合物、またはその治療用に許容される塩、及び製薬用キャリアを含有するヒトを含むほ乳類におけるサイトメガロウイルスの感染治療用医薬組成物。
【請求項１７】  請求項1に記載の式1の化合物、またはその治療用に許容される塩を含有する医薬組成物。
【請求項１８】  ガンシクロビル、ホスカルネット、アシクロビル、バラシクロビル、ファムシクロビル、シドフォビル、ペンシクロビル及びロブカビルから成る群から選択される抗ヘルペス剤及び請求項1に記載の式1の化合物又はその治療用に許容される塩を含有する医薬組成物。
【請求項１９】  逆転写酵素阻害剤及びプロテアーゼ阻害剤から成る群から選択される抗レトロウイルス及び請求項1に記載の式1の化合物又はその治療用に許容される塩を含有する医薬組成物。